(57)【要約】【課題】口部のサイズの異なるペットボトルであってもノズル装置を簡単且つ確実に連結可能な携帯用局部洗浄器を提供する。【解決手段】ペットボトルＰの口部Ｐ１に、当該ペットボトルＰ内に貯留された貯留水Ｗを通水管Ｑ２を介して噴水するノズル装置Ｑを装着してなる携帯用局部洗浄器において、  前記口部Ｐ１の基部に突設された鍔部Ｐ２を外挿可能であって、該鍔部Ｐ２を係止する拡径縮径可能な係止爪１１を先端に備え、更に、胴部内側壁にネジ溝１２を形成してなる係止体１と、前記係止体１に外嵌され、該係止体１を摺動して前記係止爪１１を拡径又は縮径させる作動リング２と、前記係止体１のネジ溝１２に螺合可能なネジ山３１を外側壁に形成し、内部には前記ペットボトルＰの口部端Ｐ３に密着される弾性部材３２を、前記ノズル装置Ｑの基部に設けた取付口３と、より構成したことを特徴とする。【選択図】図１
2008284015.tif 000002
【特許請求の範囲】
【請求項１】
ペットボトルの口部に、当該ペットボトル内に貯留された貯留水を通水管を介して噴水するノズル装置を装着してなる携帯用局部洗浄器において、
前記口部の基部に突設された鍔部を外挿可能であって、該鍔部を係止する拡径縮径可能な係止爪を先端に備え、更に、胴部内側壁にネジ溝を形成してなる係止体と、
前記係止体に外嵌され、該係止体を摺動して前記係止爪を拡径又は縮径させて固定する作動リングと、
前記係止体のネジ溝に螺合可能なネジ山を外側壁に形成し、内部には前記ペットボトルの口部端に密着される弾性部材を、前記ノズル装置の基部に設けた取付口と、より構成したことを特徴とする携帯用局部洗浄器。
【発明の詳細な説明】
【技術分野】
【０００１】
本発明は、用便後の局部を洗浄するための携帯用局部洗浄器に関し、詳しくは、ペットボトルを使用して上記局部を洗浄することを可能にした携帯用局部洗浄器に関する。
【背景技術】
【０００２】
用便後に局部の洗浄が可能なウォシュレット式便器は、一般家庭でも多く使用されているが、旅行先や公衆トイレ等には、前記ウォシュレット式便器が設置されていない場合が多く、また、地震等の災害時では、停電や給水の停止によって、ウォシュレット式便器であっても使用できないこともある。
【０００３】
そのため、近年では、トイレ内にウォシュレット式便器が無くても、用便後の局部を洗浄可能なものとして、携帯用局部洗浄器が開発されている。
【０００４】
このような携帯用局部洗浄器としては、例えば、洗浄水が貯留された持ち運び可能な貯留タンクと、この貯留タンク内の貯留水を外部にまで誘導する噴水管と、この噴水管の先端に設けられ、前記局部に向けて噴水可能なノズル部とを備え、乾電池等の電力によりポンプを駆動させて、前記貯留タンク内の洗浄水をノズル部から噴水させて、局部の洗浄を行う電動式の携帯用局部洗浄器があった（例えば、特許文献１参照。）。
【０００５】
また、前記貯留タンクを外部から手で押圧することで、内部の貯留水をノズル部から噴水させ、局部の洗浄を行う手動式の携帯用局部洗浄器も提案されている（例えば、特許文献２参照。）。
【０００６】
しかしながら、これらの携帯用局部洗浄器では、専用の貯留タンクと、これに付設された噴水管及びノズル部が一体化されたものを予め携帯して用意しておかなければ、これを使用することはできず、不便である。
【０００７】
一方、ペットボトルは、その中身が無くなれば、殆どが廃棄処分されるが、その廃棄される量が多いため、ゴミ問題の一つになっている。
【０００８】
そのため、本出願人等は、かかる課題を解決すべく、専用の貯留タンクを携帯する必要がなく、廃棄されるペットボトルを貯留タンクとして利用し、このペットボトルに連結可能な携帯用局部洗浄器を開発し、既に出願している（例えば、特許文献３参照。）。
【特許文献１】特開平７−２５５６３６号
【特許文献２】特開２００２−１４３０３２号
【特許文献３】特開２００６−３０５０６７号
【発明の開示】
【発明が解決しようとする課題】
【０００９】
この携帯用局部洗浄器によれば、廃棄されるペットボトルの再利用を図り、ゴミ問題をも軽減できると好評を得ているが、しかしこの携帯用局部洗浄器には、以下の問題があった。
【００１０】
すなわち、各メーカーから販売されている飲料物に使用されているペットボトルの口部の口径、高さ等は、同一ではなく、各メーカー毎に微妙にサイズが異なっているため、本出願人等が開発した前記携帯用局部洗浄器では、前記口部のサイズの異なるペットボトルをノズル装置に上手く連結できないという問題があった。
【００１１】
本発明は、かかる課題を解決することを目的とするもので、口部のサイズの異なるペットボトルであってもノズル装置を簡単且つ確実に連結可能な携帯用局部洗浄器を提供する。
【課題を解決するための手段】
【００１２】
上記目的を達成するため、
本発明に係る携帯用局部洗浄器は、ペットボトルの口部に、当該ペットボトル内に貯留された貯留水を通水管を介して噴水するノズル装置を装着してなる携帯用局部洗浄器において、前記口部の基部に突設された鍔部を外挿可能であって、該鍔部を係止する拡径縮径可能な係止爪を先端に備え、更に、胴部内側壁にネジ溝を形成してなる係止体と、前記係止体に外嵌され、該係止体を摺動して前記係止爪を拡径又は縮径させて固定する作動リングと、前記係止体のネジ溝に螺合可能なネジ山を外側壁に形成し、内部には前記ペットボトルの口部端に密着される弾性部材を、前記ノズル装置の基部に設けた取付口と、より構成したことを特徴とする。
【発明の効果】
【００１３】
本発明によれば、作動リングを操作するだけで、ペットボトルの鍔部に係止爪が係止され、係止体をペットボトルの口部に連結でき、この係止体をノズル装置の基部に設けた取付口に螺合すれば、前記ペットボトルと前記ノズル装置を連結できる。
【００１４】
そのため、口部のサイズが異なるペットボトルであっても各々のペットボトルを前記ノズル装置に簡単且つ確実に連結できる。
【発明を実施するための最良の形態】
【００１５】
以下、本発明に係る携帯用局部洗浄器Åを図面とともに説明する。
【実施例１】
【００１６】
図１は、本発明に係る携帯用局部洗浄器Ａの一実施例を示した全体斜視図、図２は、図１の点線部分を拡大した要部の分解斜視図、図３は、図１の点線部分を拡大した要部の断面図である。
【００１７】
この携帯用局部洗浄器Ａは、ペットボトルＰの口部Ｐ１に、当該ペットボトルＰ内に貯留された貯留水Ｗを通水管Ｑ１を介して噴水するノズル装置Ｑを装着してなるものであって、口部Ｐ１の基部に突設された鍔部Ｐ２を外挿可能であって、該鍔部Ｐ２を係止する拡径縮径可能な係止爪１１を先端に備え、更に、胴部内側壁にネジ溝１２を形成してなる係止体１と、この係止体１に外嵌され、該係止体１を摺動して係止爪１１を拡径又は縮径させて固定する作動リング２と、係止体１のネジ溝１２に螺合可能なネジ山３１を外側壁に形成し、内部にはＰペットボトルの口部端に密着される弾性部材３２を、ノズル装置Ｑの基部に設けた取付口３と、より構成してなる。
【００１８】
以下、各部材について詳説する。
【００１９】
係止体１は、本体を筒状に形成すると共に、この本体の下端から下方に向けて複数の係止爪１１を延設している。
【００２０】
作動リング２は、係止体１の前記本体に摺接する環状体に形成され、係止体１の上、下方向に摺動可能にしている。
【００２１】
係止爪１１は、ペットボトルＰの鍔部Ｐ２の外径よりも更に外側に開いた状態に拡径しており、作動リング２を下方に移動させて操作することで、この作動リング２の内面に規制されて縮径し、鍔部Ｐ２を係止するものである。
【００２２】
又、係止爪１１の外面には、複数の段部１３を形成しており、この段部１３に作動リング２の下端内面に突設された係止突起２１が係止して、作動リング２の位置を確実に固定できる。
【００２３】
更に、係止体１の前記本体の胴部内側壁には、ネジ溝１２を形成してなり、このネジ溝１２に螺合可能なネジ山３１を取付口３に形成している。
【００２４】
この取付口３は、具体的には、ノズル装置Ｑの基部に下方に向けて筒体を突設し、この筒体の外側壁に、ネジ溝１２に螺合可能なネジ山３１を形成している。
【００２５】
又、前記筒体の内部には、ペットボトルＰの口部端Ｐ３に密着される弾性部材３２を内嵌しており、この弾性部材３２は、ペットボトルＰの口部端Ｐ３と密着するように、ペットボトルＰ内の貯留水Ｗが、口部端Ｐ３から漏水しないパッキン材としての機能を備えたものであれば良く、例えば、ゴム、シリコン等で形成することが望ましい。
【００２６】
又、弾性部材３２には、中央に設けた通水管Ｑ１に併設して、ペットボトルＰ内にのみ通気可能な逆支弁３３を設け、ペットボトルＰ内の貯留水Ｗを排水可能にしている。
【００２７】
なお、ペットボトルＰ内の貯留水Ｗが通水管Ｑ１を通じて排水可能であれば、逆支弁３３に代えて、単なる通気穴を開設したものでも構わない。
【００２８】
以上のように構成された本発明の携帯用局部洗浄器Ａは、これを袋等に収納しておけば、コンパクトに携帯でき、以下の要領で使用する。
【００２９】
先ず、本発明の携帯用局部洗浄器Ａを使用する際には、廃棄される空のペットボトルＰを入手し、当該ペットボトルＰ内に水道水や洗浄液等の貯留水Ｗを貯留するか、或いは、飲料可能な貯留水Ｗが貯留して市販されているペットボトルＰを販売店で購入し、そのボトルキャップを取り外したうえで、ペットボトルＰの口部Ｐ１側から拡開した係止爪１１を外挿する。
【００３０】
次に、作動リング２を手指で摘んで、下方に引き下げると、この作動リング２の内面に規制されて、拡開していた係止爪１１が内側に縮径し、係止爪１１がペットボトルＰの鍔部Ｐ２の下面に係止すると共に、作動リング２の係止突起２１が、係止爪１１外面の段部１３に係止して、作動リング２が固定され、ペットボトルＰの口部Ｐ１と係止体１を連結する。
【００３１】
そして、ペットボトルＰの口部Ｐ１に連結した係止体１のネジ溝１２を、ノズル装置Ｑの基部に設けた取付口３のネジ山３１に螺合する。
【００３２】
この螺合により、ペットボトルＰの口部端Ｐ３も上昇され、該口部端Ｐ３は取付口３の弾性部材３２に密着し、口部端Ｐ３が弾性部材３２で完全に封止され（通水管Ｑ１を除く。）、ペットボトルＰ内の貯留水Ｗが口部端Ｐ３から漏水することを完全に防止できる。
【００３３】
そして、使用者が用便後、ノズル装置Ｑを起動させれば、通水管Ｑ１を通じてノズル装置Ｑの先端からペットボトルＰ内の貯留水Ｗが噴水され、局部を洗浄できるのである。
【００３４】
このように、本発明によれば、作動リング２を操作して、ペットボトルＰの口部Ｐ１の鍔部Ｐ２に係止爪１１を縮径させて係止させると共に、係止体１をノズル装置Ｑの基部に設けた取付口３に連結するだけで、ペットボトルＰの口部端Ｐ３が取付口３に設けた弾性部材３２に密着して封止され、口部Ｐ２のサイズが異なるペットボトルＰであってもノズル装置Ｑに簡単且つ確実に連結できるのである。
【００３５】
しかも、廃棄されるペットボトルＰを再利用できるので、ペットボトルＰによるゴミ問題をも軽減できる。
【実施例２】
【００３６】
図４（ａ）〜（ｃ）は、図１〜３で示した本発明の弾性部材３２の他の実施例を示す断面図である。
【００３７】
なお、図１〜３で示した部材と共通の部材には、同一の符号を付し、その説明は省略する。
【００３８】
図４（ａ）で示した弾性部材３２は、ペットボトルＰの口部Ｐ１に内嵌する下方に向けて突設した突起部３２ａを形成し、この突起部３２ａが、ペットボトルＰの口部端Ｐ３に内嵌して、該口部端Ｐ３を封止する構造にしたものであり、本実施例の弾性部材３２によれば、ペットボトルＰの口部端Ｐ３面だけでなく、突起部３２ａが口部端Ｐ３の内面にまで密着して封止するため、口部端Ｐ３からの漏水を確実に防止できる。
【００３９】
図４（ｂ）で示した弾性部材３２は、ペットボトルＰの口部Ｐ１に内嵌する下方に向けて突設した突起部３２ａを形成すると共に、その基端を切り込んだ切込部３２ｂを形成したものであり、本実施例の弾性部材３２によれば、ペットボトルＰの口部端Ｐ３が切込部３２ｂに嵌合するようにしているため、突起部３２ａが口部端Ｐ３の内面に密着すると共に、切込部３２ｂが口部端Ｐ３面に密着し、更に、切込部３２ｂの外側がペットボトルＰの口部端Ｐ３の外面にまで密着して封止するため、口部端Ｐ３からの漏水を更に確実に防止できる。
【００４０】
図４（ｃ）で示した弾性部材３２は、ペットボトルＰの口部Ｐ１に外嵌する下方に向けて突設した突起部３２ｃを形成し、この突起部３２ｃが、ペットボトルＰの口部端Ｐ３に外嵌して、該口部端Ｐ３を封止する構造にしたものであり、本実施例の弾性部材３２によれば、ペットボトルＰの口部端Ｐ３面だけでなく、突起部３２ｃが口部端Ｐ３の外面にまで密着して封止するため、口部端Ｐ３からの漏水を確実に防止できる。
【図面の簡単な説明】
【００４１】
【図１】本発明に係る携帯用局部洗浄器Ａの一実施例を示した全体斜視図である。
【図２】図１の点線部分を拡大した要部の分解斜視図である。
【図３】図１の点線部分を拡大した要部の断面図である。
【図４】（ａ）〜（ｃ）は、図１〜３で示した本発明の弾性部材３２の他の実施例を示す断面図である。
【符号の説明】
【００４２】
Ａ    携帯用局部洗浄器
Ｐ    ペットボトル
Ｐ１  口部
Ｐ２  鍔部
Ｐ３  口部端
Ｑ    ノズル装置
Ｑ１  通水管
Ｗ    貯留水
１    係止体
１１  係止爪
１２  ネジ溝
２    作動リング
３    取付口
３１  ネジ山
３２  弾性部材
【図１】
2008284015.tif 000003
【図２】
2008284015.tif 000004
【図３】
2008284015.tif 000005
【図４】
2008284015.tif 000006